(57)【要約】【課題】  簡単かつ低コストな装置構成により、ユーザ所望の、画面全体による高精細テレビジョン解像度での映像視聴、並びに、画面の一部表示による標準テレビジョン解像度での映像視聴とを両立可能な情報処理システムを提供する。【解決手段】  ＰＣ１とモニタ２を接続するケーブルを２系統設け、一方はＨＤＴＶ映像を伝送可能な保護された接続とし、もう一方は標準的なアナログＲＧＢ接続とし、ＰＣ１のソフトウエアからの指示に基づいて、モニタ２の切替部２０１でこれら入力を切り替えて表示部２０２に表示する。【選択図】  図１
2007067459.tif 000002
【特許請求の範囲】
【請求項１】
デジタル映像コンテンツを取り扱う情報処理システムであって、
前記デジタル映像コンテンツを高精細テレビジョン解像度の映像信号で出力する高解像度映像生成部と、
前記デジタル映像コンテンツを標準テレビジョン解像度の映像信号で出力する標準解像度映像生成部と、
前記高解像度映像生成部および前記標準解像度映像生成部からの映像信号が入力され、前記入力された映像信号を切り替えて出力する映像切替部と、
前記映像切替部から出力される映像信号を表示する映像表示部と、
前記デジタル映像コンテンツの視聴モードに基づいて、前記映像切替部に対して前記映像信号の切り替え指示を出力する映像切替制御部とを備えたことを特徴とする情報処理システム。
【請求項２】
請求項１記載の情報処理システムにおいて、
前記映像切替部から出力される映像信号の視聴モードとして、前記デジタル映像コンテンツを前記高精細テレビジョン解像度で前記映像表示部上に全画面表示する第１の視聴モードと、前記デジタル映像コンテンツを前記標準テレビジョン解像度以下で前記映像表示部上の画面の一部または全部に表示する第２の視聴モードとを持ち、
前記映像切替制御部は、前記第１の視聴モードおよび前記第２の視聴モードの切替に同期して、前記映像切替部に対して前記映像信号の切り替え指示を出力することを特徴とする情報処理システム。
【請求項３】
請求項２記載の情報処理システムにおいて、
前記映像切替制御部は、前記第２の視聴モードにより、前記デジタル映像コンテンツを前記標準テレビジョン解像度以下で前記映像表示部上の画面の一部に表示している際、前記デジタル映像コンテンツの表示に対する最大化の指示に同期して、前記映像切替部に対して前記第１の視聴モードの前記映像信号の切り替え指示を出力することを特徴とする情報処理システム。
【請求項４】
請求項２記載の情報処理システムにおいて、
利用者からの操作入力を受け付ける入力部を備え、
前記映像切替制御部は、前記第１の視聴モードにより、前記デジタル映像コンテンツを前記高精細テレビジョン解像度で前記映像表示部上に全画面表示している際、前記入力部からの切り替え指示に基づいて、前記映像切替部に対して前記第２の視聴モードの前記映像信号の切り替え指示を出力することを特徴とする情報処理システム。
【請求項５】
請求項４記載の情報処理システムにおいて、
前記入力部からの切り替え指示は、前記利用者のリモコンによるモード切替ボタン操作であることを特徴とする情報処理システム。
【請求項６】
請求項４記載の情報処理システムにおいて、
前記入力部からの切り替え指示は、前記利用者の任意のキーボード操作またはマウスの一定時間以上の操作によるであることを特徴とする情報処理システム。
【請求項７】
請求項１記載の情報処理システムにおいて、
前記高解像度映像生成部、前記標準解像度映像生成部、および前記映像切替制御部により第１の情報処理装置を構成し、
前記映像切替部および前記映像表示部により第２の情報処理装置を構成したことを特徴とする情報処理システム。
【請求項８】
請求項７記載の情報処理システムにおいて、
前記第１の情報処理装置と前記第２の情報処理装置との間の接続は、前記高解像度映像生成部と前記映像切替部とを接続する高解像度映像伝送手段、前記標準解像度映像生成部と前記映像切替部とを接続する標準解像度映像伝送手段、および前記映像切替制御部と前記映像切替部とを接続する映像切替制御伝送手段によるものであることを特徴とする情報処理システム。
【請求項９】
請求項８記載の情報処理システムにおいて、
前記第１の情報処理装置はパーソナルコンピュータであり、
前記第２の情報処理装置は前記パーソナルコンピュータに接続されるモニタ装置であり、
前記高解像度映像生成部は、高精細テレビジョン対応ＭＰＥＧ２デコーダ部であり、
前記標準解像度映像生成部は、パーソナルコンピュータ向け標準アナログＲＧＢ出力部であり、
前記高解像度映像伝送手段は、Ｄ端子ケーブルであり、
前記標準解像度映像伝送手段は、アナログＲＧＢケーブルであり、
前記映像切替制御伝送手段は、ＵＳＢケーブルであることを特徴とする情報処理システム。
【請求項１０】
請求項１記載の情報処理システムにおいて、
前記高解像度映像生成部、前記標準解像度映像生成部、前記映像切替制御部、および前記映像切替部により第１の情報処理装置を構成し、
前記映像表示部により第２の情報処理装置を構成したことを特徴とする情報処理システム。
【請求項１１】
請求項１０記載の情報処理システムにおいて、
前記第１の情報処理装置と前記第２の情報処理装置との間の接続は、前記映像切替部と前記映像表示部を接続する映像伝送手段によるものであることを特徴とする情報処理システム。
【請求項１２】
請求項１１記載の情報処理システムにおいて、
前記第１の情報処理装置はパーソナルコンピュータであり、
前記第２の情報処理装置は前記パーソナルコンピュータに接続されるモニタ装置であり、
前記高解像度映像生成部は、高精細テレビジョン対応ＭＰＥＧ２デコーダ部であり、
前記標準解像度映像生成部は、パーソナルコンピュータ向け標準アナログＲＧＢ出力部であり、
前記映像伝送手段は、デジタル映像ケーブルであることを特徴とする情報処理システム。
【請求項１３】
デジタル映像コンテンツを取り扱う情報処理システムであって、
前記デジタル映像コンテンツを高精細テレビジョン解像度の映像信号で出力する高解像度映像生成部と、
前記デジタル映像コンテンツを標準テレビジョン解像度の映像信号で出力する標準解像度映像生成部と、
前記高解像度映像生成部および前記標準解像度映像生成部からの映像信号が入力され、前記入力された映像信号を合成して出力するウインドウ合成部と、
前記ウインドウ合成部から出力される映像信号を表示する映像表示部と、
前記デジタル映像コンテンツの視聴モードに基づいて、前記ウインドウ合成部に対して前記映像信号の合成指示を出力する映像合成制御部とを備えたことを特徴とする情報処理システム。
【請求項１４】
請求項１３記載の情報処理システムにおいて、
前記ウインドウ合成部から出力される映像信号の視聴モードとして、前記デジタル映像コンテンツを前記高精細テレビジョン解像度で前記映像表示部上に全画面表示する第１の視聴モードと、前記デジタル映像コンテンツを前記標準テレビジョン解像度以下で前記映像表示部上の画面の一部または全部に表示する第２の視聴モードとを持ち、
前記映像切替制御部は、前記第１の視聴モードおよび前記第２の視聴モードの切替に同期して、前記ウインドウ合成部に対して前記映像信号の合成指示を出力することを特徴とする情報処理システム。
【請求項１５】
請求項１３記載の情報処理システムにおいて、
前記高解像度映像生成部、前記標準解像度映像生成部、および前記映像切替制御部により第１の情報処理装置を構成し、
前記ウインドウ合成部および前記映像表示部により第２の情報処理装置を構成したことを特徴とする情報処理システム。
【発明の詳細な説明】
【技術分野】
【０００１】
本発明は、権利保護が必要なコンテンツを取り扱う情報処理システムに関し、特に、ＨＤＴＶデジタル放送を受信する機能を持つパーソナルコンピュータ（以下、ＰＣと略す）の構築に適用して有効な技術に関するものである。
【背景技術】
【０００２】
近年、ＰＣにおける重要な一機能として、テレビ視聴・録画機能が広まってきている。この機能は、ＰＣの構成要素としてテレビチューナなどを搭載することによって、ＰＣのモニタ装置などのスクリーンにてテレビ視聴を可能とするものである。ＰＣ自体の性能向上もあいまって、最近ではデスクトップ型ＰＣのうち相当数がテレビ視聴機能を持つまでになった。ＰＣがそもそも備えている、高速演算プロセッサ、大容量記録装置、インターネット接続、使いやすいユーザインタフェースの活用などにより、一般の人気を博している。
【０００３】
また、近年では、テレビ放送のデジタル化が進んできている。日本では、ＢＳデジタル放送を皮切りに、地上波によるデジタル放送も本格化し、将来的には全てのアナログテレビ放送をデジタル放送へと切り替える予定となっている。
【０００４】
これらの背景から、ＰＣにおいて、デジタル放送の視聴・録画機能を求められてきている状況にある。
【０００５】
例えば、特開２００１−４５４３２号公報（特許文献１）に示される技術は、デジタル放送をＰＣに付加したデジタル衛星放送ボードによって受信し、これをＰＣの備えるグラフィックスやサウンド処理部を経由して、ユーザの視聴に供する装置の提供を目的としている。
【０００６】
さて、デジタル放送によって放送波として配信されるコンテンツは、従来のアナログ放送によるコンテンツに比べ、いくつか異なった特徴を持っている。
【０００７】
これらのうち最大の特徴は、従来より高い精細度を持ったＨＤＴＶ（高精細テレビ）放送が可能である点である。さらに、デジタル方式による放送であるため、伝送過程における信号劣化の影響を受けにくいという特徴もある。従来より格段に美しい映像を提供可能であり、一般視聴者にとっては好ましいテレビサービスであるといえる。
【０００８】
一方、上記のような特徴は、放送業者やコンテンツ制作者にとっては、諸刃の剣となりうる。ＨＤＴＶコンテンツをデジタルによる無劣化に伝送を行うことから、放送信号を違法にコピーされた場合の経済的被害が従来より大きいと考えられる。
【０００９】
この課題を解決するため、ＡＲＩＢ（社団法人電波産業会）の規定によるデジタル放送では、放送波を暗号処理した状態で放送することとした。ユーザが購入するデジタル放送対応受信機、例えば、デジタル放送対応テレビジョン受像機などには、暗号を解読するための機構を設ける。暗号解読に必要な鍵は、ＩＣカードの形態でユーザに配布することで、鍵の盗み取りを遮断する。また、全てのデジタル放送受信機において、装置の有する機能や暗号処理部の保護方式などについて一定の基準を設け、これらを満たした装置だけにＩＣカードを発行する。
【００１０】
このような運用方式により、デジタル放送のコンテンツが違法に流出することがないようにしている。
【特許文献１】特開２００１−４５４３２号公報
【発明の開示】
【発明が解決しようとする課題】
【００１１】
しかしながら、従来の一般的なＰＣにおいて、デジタル放送の視聴を行おうとすると、以下のような問題点があった。
【００１２】
現在のＰＣが持つ標準的なモニタ出力インタフェースとしては、アナログＲＧＢ出力インタフェース、いわゆるＶＧＡ（Ｖｉｄｅｏ  Ｇｒａｐｈｉｃｓ  Ａｒｒａｙ）出力と、デジタルＲＧＢ出力インタフェース、いわゆるＤＶＩ（Ｄｉｇｉｔａｌ  Ｖｉｓｕａｌ  Ｉｎｔｅｒｆａｃｅ）出力とがある。いずれのインタフェースも、接続汎用性や部品コストなどの要因から、並存しているのが現状である。
【００１３】
この標準的なモニタ出力インタフェースでは、ＡＲＩＢ規定によれば、ＤＶＩ出力にＨＤＴＶ放送のコンテンツを出力することはできず、また、ＶＧＡ出力にＨＤＴＶコンテンツを出力するためには、コンテンツの解像度を制限してアナログテレビジョンなみに低下させる処理を加えなければならなかった。
【００１４】
また、ＶＧＡ出力の解像度制限は、上限を５２万画素までとするものであり、ＨＤＴＶコンテンツの美しい映像を期待しているユーザにとって、まったく期待に反するものとなってしまっていた。
【００１５】
そこで、本発明の目的は、簡単かつ低コストな装置構成により、ユーザ所望の、画面全体による高精細テレビジョン解像度での映像視聴、並びに、画面の一部表示による標準テレビジョン解像度での映像視聴とを両立可能な情報処理システムを提供することにある。
【課題を解決するための手段】
【００１６】
本願において開示される発明のうち、代表的なものの概要を簡単に説明すれば、次のとおりである。
【００１７】
本発明による情報処理システムは、デジタル映像コンテンツを取り扱う情報処理システムであって、デジタル映像コンテンツを高精細テレビジョン解像度の映像信号で出力する高解像度映像生成部と、デジタル映像コンテンツを標準テレビジョン解像度の映像信号で出力する標準解像度映像生成部と、高解像度映像生成部および標準解像度映像生成部からの映像信号が入力され、入力された映像信号を切り替えて出力する映像切替部と、映像切替部から出力される映像信号を表示する映像表示部と、デジタル映像コンテンツの視聴モードに基づいて、映像切替部に対して前記映像信号の切り替え指示を出力する映像切替制御部とを備えたものである。
【００１８】
また、本発明による情報処理システムは、デジタル映像コンテンツを取り扱う情報処理システムであって、デジタル映像コンテンツを高精細テレビジョン解像度の映像信号で出力する高解像度映像生成部と、デジタル映像コンテンツを標準テレビジョン解像度の映像信号で出力する標準解像度映像生成部と、高解像度映像生成部および標準解像度映像生成部からの映像信号が入力され、入力された映像信号を合成して出力するウインドウ合成部と、ウインドウ合成部から出力される映像信号を表示する映像表示部と、デジタル映像コンテンツの視聴モードに基づいて、ウインドウ合成部に対して映像信号の合成指示を出力する映像合成制御部とを備えたものである。
【発明の効果】
【００１９】
本願において開示される発明のうち、代表的なものによって得られる効果を簡単に説明すれば以下のとおりである。
【００２０】
本発明によれば、簡単かつ低コストな装置構成により、ユーザ所望の、画面全体による高精細テレビジョン解像度での映像視聴、並びに、画面の一部表示による標準テレビジョン解像度での映像視聴とを両立可能な情報処理システムを構築することができる。
【発明を実施するための最良の形態】
【００２１】
以下、本発明の実施の形態を図面に基づいて詳細に説明する。なお、実施の形態を説明するための全図において、同一の部材には原則として同一の符号を付し、その繰り返しの説明は省略する。
【００２２】
（実施の形態１）
＜情報処理システムの構成＞
図１により、本発明の実施の形態１に係る情報処理システムの構成について説明する。図１は本発明の実施の形態１に係る情報処理システムの構成を示す構成図である。
【００２３】
図１において、情報処理システムは、パーソナルコンピュータ１本体（以下、ＰＣと記す）、パーソナルコンピュータ１向けモニタ装置２（以下、モニタと記す）から構成されている。
【００２４】
ＰＣ１は、ＣＰＵ１０１、主記憶であるメモリ１０２、補助記憶装置であるハードディスクドライブ装置１０３（以下、ＨＤＤ装置と記す）、キーボードやマウス等を備える入力部１０４、ＵＳＢインタフェース等を備える映像切替制御部であるＩ／Ｏ制御部１０５、ＰＣ標準のＶＧＡ等の標準映像生成部１０６、デジタル放送チューナ等の放送受信部１０７、デジタル放送によるＨＤＴＶ放送信号を映像信号に変換する高解像度映像生成部１０８から構成され、これらの構成要素のほとんどはバス１００を介して接続される。
【００２５】
モニタ２は、映像信号の切替を行う切替部２０１、ＬＣＤ等の表示部２０２から構成されている。
【００２６】
＜情報処理システムの動作＞
次に、図１により、本発明の実施の形態１に係る情報処理システムの動作について説明する
ここでは、ＰＣそれ自体の動作については、一般に良く知られているものとして特段に説明せず、本実施の形態に特徴的な部分についてだけ説明する。
【００２７】
まず、入力部１０４からユーザ入力が受け付けられると、その指示内容に従って、ＣＰＵ１０１がバス１００を介してＰＣ１全体の制御を開始する。ここでは始めに、ユーザによって、放送の視聴動作が指示されたものとして説明を進める。
【００２８】
ＣＰＵ１０１は、入力部１０４からの視聴動作指示を受け付けると、まず、放送受信部１０７に対して、ユーザ所望のチャンネルを選択するように指示を送る。放送受信部１０７は、指示の内容に従って適切な周波数を選択し、放送波を受信し、必要な信号処理を施した上で、圧縮されたデジタル映像信号として、高解像度映像生成部１０８に送る。
【００２９】
また、ＣＰＵ１０１は、高解像度映像生成部１０８に対しては、放送受信部１０７からの信号を受けとって映像を生成するように指示を送る。高解像度映像生成部１０８は、放送受信部１０７から圧縮されたデジタル映像信号を受け取り、これを人間が視聴できる形式に変換、即ちビデオデコード処理を行う。デコードの結果として得られた高解像度映像信号はアナログ映像信号に変換した上で、切替部２０１に送る。また、該高解像度映像信号を、低い解像度の映像信号に変換し、これを標準映像生成部１０６へ送る。
【００３０】
ＣＰＵ１０１は、放送受信部１０７と、高解像度映像生成部１０８のそれぞれについて、処理の進行状態を監視し、正常に放送受信および映像生成が開始されたことを確認すると、モニタ２の切替部２０１への切替信号を送るように、Ｉ／Ｏ制御部１０５に対して指示を送る。なお、ここでＩ／Ｏ制御部１０５から切替部２０１への指示の伝達手段は、有線に限るものではなく、無線によるもの、例えば赤外線によるものであっても差し支えない。
【００３１】
切替部２０１は、Ｉ／Ｏ制御部１０５からの指示に従って、高解像度映像生成部１０８から送られる高解像度映像信号と、標準映像生成部１０６から送られる標準映像信号とを切り替えることができる。放送視聴動作においては、Ｉ／Ｏ制御部１０５からの切替指示を受け取ると、高解像度映像生成部１０８からの映像信号を選択し、これを表示部２０２へ送る。この結果、表示部２０２には、現在放送されている映像が画面全体に高解像度で表示され、これをユーザの視聴に供することができる。
【００３２】
さて、標準映像生成部１０６は、入力部１０４にてユーザ指示が受け付けられるより以前から、ＰＣが標準的に使用するグラフィック画面イメージの生成を行っている。前出のユーザ指示により放送視聴動作が開始されると、高解像度映像生成部１０８から送られる低解像度映像信号を受け取ることができるようになる。標準映像生成部１０６は、グラフィック画面イメージの一部領域に該低解像度映像信号を挿入し、放送映像が画面の一部分の領域だけを占有するように動作する。これにより、ユーザからは、画面の一部分に放送映像がウインドウ状に表示されているように見える。
【００３３】
＜画面モードの切替＞
次に、図２により、本発明の実施の形態１に係る情報処理システムの画面モードの切替について説明する。図２は本発明の実施の形態１に係る情報処理システムの画面モードの切替を説明するための説明図である。
【００３４】
図２において、画面表示９０１は、放送受信による高解像度映像を画面全体に表示している状態であり、ここでは全画面モードと呼ぶ。
【００３５】
画面表示９０２は、放送受信による低解像度映像が、ウインドウ状にして画面の一部を占有している状態であり、画面の残りの部分は、グラフィック画面イメージに文字情報などを表示しているものである。主にデジタル放送におけるデータ放送の視聴を考慮したものであり、ここではデータ放送モードと呼ぶ。
【００３６】
画面表示９０３は、放送受信による低解像度映像が、ウインドウ状にして画面の一部を占有している状態であり、画面の残りの部分は、ＰＣが標準的に使用するグラフィック画面が表示されているものである。放送視聴とは全く関係のないＰＣ上での操作、例えば、電子メールに関する操作や、Ｗｅｂ閲覧に関する操作と、放送視聴とを同時に行うことができるものであり、ここではウインドウモードと呼ぶ。なお、ウインドウモードの形態としては、放送視聴と一部関連する操作であってもよく、例えば、電子番組表（ＥＰＧ）に関する操作などがこれに相当する。
【００３７】
本実施の形態では、切替部２０１が高解像度映像生成部１０８からの映像信号を選択し、表示部２０２へ出力しているときは、全画面モード９０１により表示が行われる。
【００３８】
次に、ユーザ指示によりデータ放送視聴状態に移行したり、同様にＰＣグラフィック画面の一部に放送受信映像を同時表示したりするためには、切替部２０１に対して別の指示を送り、標準映像生成部１０６からの映像信号を選択させる。これにより、データ放送モード９０２や、ウインドウモード９０３による表示が行われる。もちろん、それぞれの画面モードから別の画面モードに自在に切り替えることが、ユーザ指示により可能である。
【００３９】
なお、これら画面モードの相互切替は、必ずしもユーザによる明示的な指示、例えば、リモコンの画面切替ボタンの押下などによらなくてもよい。例えば、全画面モード９０１において、ユーザがキーボードの任意のキーを押下したり、マウスを一定時間以上動かしつづけたりした場合は、ウインドウモード９０３に自動的に切り替える。
【００４０】
また、例えば、現在視聴中の番組が終了して別の番組が始まった時に、その番組に付随するメタデータ、例えば番組のカテゴリー種別に基づいて、全画面モード９０１により表示するか、データ放送モード９０２により表示するかを自動的に切り替える。ここでカテゴリー種別としては、例えば、映画やドラマ、ドキュメンタリー等の映像を主体とするカテゴリー、音楽を主体とするカテゴリー、スポーツ中継のカテゴリー、商品の宣伝を主体とするカテゴリーなどを想定する。
【００４１】
＜ユーザインタフェース＞
次に、図３および図４により、本発明の実施の形態１に係る情報処理システムのユーザインタフェースについて説明する。図３は本発明の実施の形態１に係る情報処理システムのユーザインタフェースを説明するための説明図、図４は本発明の実施の形態１に係る情報処理システムのユーザインタフェース処理を示すフローチャートである。
【００４２】
図３は本実施の形態のユーザインタフェースの一例であり、図３において、全画面モード９４１、ウインドウモード９４２の切替を示している。また、ウインドウモード９４２上のウインドウ表示にはウインドウクローズボタン９４３、ウインドウ最大化ボタン９４４が設けられている。
【００４３】
図４においては、図３に示すウインドウモード９４２の状態で、ユーザが最大化ボタン９４４をクリックしたものとして動作を説明する。
【００４４】
最初に、Ｓ２００１において、ユーザによるボタンのクリックによって入力イベントが発生する。Ｓ２００２において、該イベントがウインドウサイズ最大化のボタン押下イベントであるかどうかを確認する。
【００４５】
Ｓ２００２で真である場合、Ｓ２００３において、対象ウインドウが放送視聴ウインドウであるかどうかを確認する。Ｓ２００３で、これも真である場合、Ｓ２００４において、モニタ２に対して、ＨＤＴＶ入力モードに切り替えるよう指示を送る。また、Ｓ２００５において、放送視聴ウインドウを最大化する。
【００４６】
以上のシーケンスにより、ユーザが最大化ボタン９４４をクリックした場合に、放送視聴ウインドウが最大化するのと同時に、モニタ２の映像切替器がＨＤＴＶ入力側に切り替わり、全画面によるＨＤＴＶ表示が行われることになり、ユーザからは画面がシームレスにＨＤＴＶ表示に切り替わったように見える。
【００４７】
次に、全画面モード９４１の状態で、ユーザがキーボード（図示せず）による入力を行ったものとして動作を説明する。
【００４８】
最初に、Ｓ２００１において、ユーザによるキー押下によって入力イベントが発生する。Ｓ２００２において、該イベントがウインドウサイズ最大化のボタン押下イベントであるかどうかを確認する。Ｓ２００２で、今回はこれは偽となるので、続けてＳ２０１１において、該イベントがキーボード入力であるかどうかを確認する。Ｓ２０１１で真である場合、Ｓ２０１２において、現在の表示モードが放送視聴ウインドウが最大化した状態であるかを確認する。Ｓ２０１２でこれも真である場合、Ｓ２０１３において、モニタ２に対して、標準入力モードに切り替わるように指示を送る。また、Ｓ２０１４において、放送視聴ウインドウを通常サイズに切り替える。
【００４９】
以上のシーケンスにより、全画面モードで放送視聴している状態から、ユーザがキーボードを操作した場合に、放送視聴ウインドウが通常モードに戻るのと同時に、モニタ２の映像切替器がＨＤＴＶ入力側から標準入力側に切り替わり、ユーザからは画面がシームレスにウインドウ表示に切り替わったように見える。
【００５０】
＜高解像度映像生成部の内部構成＞
次に、図５により本発明の実施の形態１に係る情報処理システムの高解像度映像生成部の内部構成について説明する。図５は本発明の実施の形態１に係る情報処理システムの高解像度映像生成部の内部構成を示す構成図である。
【００５１】
図５において、高解像度映像生成部１０８は、放送暗号解読部８０１、放送暗号鍵保持部８０２、セレクタ８０３、映像音声分離部８０４、映像デコード部８０５、アナログ映像変換部８０６、解像度変換部８０７、一時暗号処理部８０８、音声デコード部８０９、音声遅延調整部８１０、アナログ音声変換部８１１、ローカル暗号処理部８１２、ローカル暗号解読部８１３から構成されている。
【００５２】
放送暗号解読部８０１は、暗号化された放送信号を受け取ってこれの暗号を解読し、平文に変換する。放送暗号鍵保持部８０２は、放送暗号解読部８０１が使用する放送暗号解読用の鍵を、盗み取られないように十分に保護された状態において保持する。通常、ＩＣカードとして実現することが一般的である。
【００５３】
映像音声分離部８０４は、放送暗号解読部８０１から出力される映像音声混合の圧縮デジタル信号を受け取り、これを映像信号と音声信号とに分離する。分離された圧縮映像信号は映像デコード部８０５に送られ、同様に圧縮音声信号は音声デコード部８０９に送られる。
【００５４】
圧縮映像信号を受け取った映像デコード部８０５は、これをデコードしてデジタル映像信号を生成し、解像度変換部８０７と、アナログ映像変換部８０６とに出力する。アナログ映像変換部８０６は、受け取った信号をアナログ化し、同時に著作権保護情報を付加した上で外部へ出力する。ここで付加する著作権保護情報は、マクロビジョン方式によるものや、ＣＧＭＳ−Ａ方式によるものを想定するが、但し限定するものではない。
【００５５】
次に解像度変換部８０７は、受け取った高解像度映像信号を、より低い解像度の映像信号に変換する。この信号を、一時暗号処理部８０８を経由して、バス１００へ出力する。一時暗号処理部８０８が暗号化処理した映像信号は、ＣＰＵ１０１にて暗号解読を行い、標準映像生成部１０６に送る。
【００５６】
ここで、ＣＰＵ１０１において実行する暗号解読処理ソフトウエアは、ソフトウエア自体の盗み見等を避けるために耐タンパ性を持たせる。以上のような構成とすることにより、バス１００の盗み見による映像信号の不正使用を防止することができる。
【００５７】
＜情報処理システムの別の動作＞
次に、図１および図５により、本発明の実施の形態１に係る情報処理システムの別の動作について説明する。
【００５８】
まず、ユーザによって、放送の録画動作が指示されたものとして説明する。
【００５９】
ＣＰＵ１０１は、視聴動作時と同様に、放送受信部１０７に対して所望のチャンネルを選択するように指示を送る。
【００６０】
放送受信部１０７は、指示の内容に従って適切な周波数を選択し、放送波を受信し、必要な信号処理を施した上で、圧縮されたデジタル映像信号として、高解像度映像生成部１０８に送る。高解像度映像生成部は、受け取った圧縮映像信号を再暗号処理した上でバス１００に出力し、ＣＰＵ１０１はこれを受け取ってＨＤＤ装置１０３へ送り、録画データファイルとして保存する。
【００６１】
図５により、この録画動作時の高解像度映像生成部の内部動作について説明する。
【００６２】
まず、放送暗号解読部８０１は、暗号化された放送信号を受け取ってこれの暗号を解読し、平文に変換する。放送暗号を解くための暗号鍵は、放送暗号鍵保持部８０２から得る。録画動作時は、解読した平文データをローカル暗号処理部８１２に送り、これを装置固有のローカル暗号鍵（図示せず）を用いて暗号処理し、バス１００に出力する。
【００６３】
なお、録画動作の指示は、必ずしも現時点の放送に対して行われるとは限らず、未来の特定時刻の放送に対して行われることもあり、これは予約録画と呼ばれる。予約録画の指示がユーザによって行われた場合も、上述した説明と同様に、指定された時刻においてＣＰＵ１０１が制御の中心となって録画動作を実施する。
【００６４】
次に、ユーザによって、それ以前に放送から録画された録画データファイルの再生動作が指示されたものとして説明する。
【００６５】
ＣＰＵ１０１は、入力部１０４からの再生動作指示を受け付けると、ＨＤＤ装置１０３に対して指示を送り、当該の録画データファイルを取り出す。取り出したデータは、バス１００を経由して高解像度映像生成部１０８に送られる。
【００６６】
また、ＣＰＵ１０１は、高解像度映像生成部１０８に対して、ＣＰＵからのデータを受け取って映像を生成するように指示を送る。高解像度映像生成部１０８は、ＣＰＵ１０１からバス１００を経由して圧縮されたデジタル映像信号を受け取り、これをデコードする。これ以降の動作については、放送視聴の動作と同一である。
【００６７】
図５により、この再生動作時の高解像度映像生成部１０８の内部動作について説明する。
【００６８】
ローカル暗号解読部８１３は、ＣＰＵ１０１からバス１００を経由して送られてくる暗号処理済みの映像情報を得、これを装置固有のローカル暗号鍵を用いて暗号解読処理し、セレクタ８０３へ送る。視聴動作の説明では触れていないが、セレクタ８０３は、視聴動作時は、放送暗号解読部８０１からのデータを映像音声分離部８０４に送り、再生動作時には、ローカル暗号解読部８１３からのデータを映像音声分離部８０４へ送るという動作をする。これ以降の動作については、放送視聴の動作と同一である。
【００６９】
前述した装置固有のローカル暗号鍵は、製品出荷時にそれぞれの装置に対して固有の値を与えることによって生成される暗号鍵であり、同じローカル暗号鍵を持った装置は存在しない。このため、例えば、ある装置ａで放送を録画し、次に装置ａのＨＤＤ装置を取り外し、これを装置ｂに接続した場合、装置ｂでは該録画を再生することはできない。このような構成とすることにより、放送映像の不正使用を防止することができる。
【００７０】
以上の説明では、放送視聴、録画、および再生の各動作について、それぞれ別々に動作するものとして説明してきたが、これらはもちろん同時に並行して動作しても良い。例えば、録画動作と、再生動作とを、同時に動作させることにより、いわゆる裏録画動作を行うことができる。
【００７１】
（実施の形態２）
実施の形態２は、実施の形態１の各構成要素をより具体的な構成部品によって置き換えたものである。
【００７２】
＜情報処理システムの構成＞
図６により、本発明の実施の形態２に係る情報処理システムの構成について説明する。図６は本発明の実施の形態２に係る情報処理システムの構成を示す構成図である。
【００７３】
図６において、情報処理システムは、ＰＣ１とモニタ２から構成されている。
【００７４】
ＰＣ１は、バス１０００、ＣＰＵ１００１、メモリ１００２、ＨＤＤ装置１００３、リモコン受信機１００４、映像切替制御部であるＵＳＢインタフェース１００５、ＳＶＧＡデバイス１００６、デジタル放送チューナ１００７、ＨＤＴＶ映像デコーダ１００８から構成されている。
【００７５】
モニタ２は、映像切替器２００１、ＬＣＤパネル２００２から構成されている。
【００７６】
＜情報処理システムの動作＞
次に、図６により、本発明の実施の形態２に係る情報処理システムの動作について説明する。本実施の形態の動作については、実施の形態１の動作とおおむね同一であるため、以下では簡単に説明する。
【００７７】
まず、リモコン受信機１００４からユーザ入力が受け付けられると、その指示内容に従って、ＣＰＵ１００１がバス１０００を介してＰＣ１全体の制御を開始する。ここでは、ユーザによって、放送の視聴動作が指示されたものとして説明を進める。
【００７８】
ＣＰＵ１００１は、リモコン受信機１００４からの視聴動作指示を受け付けると、まず、デジタル放送チューナ１００７に対して、ユーザ所望のチャンネルを選択するように指示を送る。デジタル放送チューナ１００７は、指示の内容に従って適切な周波数を選択し、放送波を受信し、必要な信号処理を施した上で、圧縮されたデジタル映像信号として、ＨＤＴＶ映像デコーダ１００８に送る。
【００７９】
また、ＣＰＵ１００１は、ＨＤＴＶ映像デコーダ１００８に対しては、放送受信部１０７からの信号を受け取って映像を生成するように指示を送る。ＨＤＴＶ映像デコーダ１００８は、放送受信部１０７から圧縮されたデジタル映像信号を受け取り、これを人間が視聴できる形式に変換、即ちビデオデコード処理を行う。デコードの結果として得られた高解像度映像信号はアナログ映像信号に変換した上で、映像切替器２００１に送る。また、該高解像度映像信号を、低い解像度の映像信号に変換し、これをＳＶＧＡデバイス１００６へ送る。
【００８０】
ＣＰＵ１００１は、デジタル放送チューナ１００７と、ＨＤＴＶ映像デコーダ１００８のそれぞれについて、処理の進行状態を監視し、正常に放送受信および映像生成が開始されたことを確認すると、モニタ２の映像切替器２００１への切替信号を送るように、ＵＳＢインタフェース１００５に対して指示を送る。
【００８１】
映像切替器２００１は、ＵＳＢインタフェース１００５からの指示に従って、ＨＤＴＶ映像デコーダ１００８から送られる高解像度映像信号と、ＳＶＧＡデバイス１００６から送られる標準映像信号とを切り替えることができる。ここで、ＰＣ１とモニタ２との接続については、高解像度映像信号は標準Ｄ４端子ケーブルによるアナログ接続を、標準映像信号は標準アナログＲＧＢケーブルによる接続をそれぞれ想定しているが、但し限定されるものではない。
【００８２】
例えば、高解像度映像信号をＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）と呼ばれるコンテンツ保護機構を追加したＤＶＩ端子によるデジタル接続のＤＶＩ端子ケーブル接続や、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブルによるデジタル接続、標準映像信号をＤＶＩ端子によるデジタル接続にしてもよい。
【００８３】
放送視聴動作においては、ＵＳＢインタフェース１００５からの切替指示を受け取ると、ＨＤＴＶ映像デコーダ１００８からの映像信号を選択し、これをＬＣＤパネル２００２へ送る。この結果、ＬＣＤパネル２００２には、現在放送されている映像が画面全体に高解像度で表示され、これをユーザの視聴に供することができる。
【００８４】
さて、ＳＶＧＡデバイス１００６は、リモコン受信機１００４にてユーザ指示が受け付けられるより以前から、ＰＣが標準的に使用するグラフィック画面イメージの生成を行っている。
【００８５】
前出のユーザ指示により放送視聴動作が開始されると、ＨＤＴＶ映像デコーダ１００８から送られる低解像度映像信号を受け取ることができるようになる。ＳＶＧＡデバイス１００６は、グラフィック画面イメージの一部領域に該低解像度映像信号を挿入し、放送映像が画面の一部分の領域だけを占有するように動作する。これにより、ユーザからは、画面の一部分に放送映像がウインドウ状に表示されているように見える。
【００８６】
以上のように、本実施の形態の放送視聴動作について説明したが、本実施の形態における放送録画動作や再生動作については、放送視聴動作と同様に、実施の形態１の対応する動作と類似であるため、ここでは説明を割愛する。
【００８７】
（実施の形態３）
実施の形態３は、実施の形態２において、デジタル放送チューナに加えて、アナログ放送チューナを同時に備えたものである。
【００８８】
＜情報処理システムの構成＞
図７により、本発明の実施の形態３に係る情報処理システムの構成について説明する。図７は本発明の実施の形態３に係る情報処理システムの構成を示す構成図である。
【００８９】
図７において、情報処理システムは、ＰＣ１が、アナログ放送チューナ１００９、ビデオエンコーダ１０１０を備える以外の構成は、実施の形態２における図６の構成と同様である。
【００９０】
＜情報処理システムの動作＞
次に、図７により、本発明の実施の形態３に係る情報処理システムの動作について説明する。本実施の形態は、デジタル放送チューナ１００７に加えて、アナログ放送チューナ１００９を同時に備え、ユーザからの指示によりデジタル放送やアナログ放送の表示を行うことが特徴である。
【００９１】
まず、ＣＰＵ１００１は、リモコン受信機１００４からの視聴動作指示を受け付けると、まず、指示されたチャンネルがデジタル放送によるものか、アナログ放送によるものかを確認し、動作に必要なチューナがどちらなのかを判定する。
【００９２】
該判定の結果、デジタル放送チューナ１００７を使用する必要があれば、デジタル放送チューナ１００７に対して、ユーザ所望のチャンネルを選択するように指示を送る。デジタル放送チューナ１００７は、指示の内容に従って適切な周波数を選択し、放送波を受信し、必要な信号処理を施した上で、圧縮されたデジタル映像信号として、ＨＤＴＶ映像デコーダ１００８に送る。
【００９３】
また、ＣＰＵ１００１は、ＨＤＴＶ映像デコーダ１００８に対しては、デジタル放送チューナ１００７からの信号を受け取って映像を生成するように指示を送る。ＨＤＴＶ映像デコーダ１００８は、デジタル放送チューナ１００７から圧縮されたデジタル映像信号を受け取り、これを人間が視聴できる形式に変換、即ちビデオデコード処理を行う。
【００９４】
デコードの結果として得られた高解像度映像信号はアナログ映像信号に変換した上で、映像切替器２００１に送る。また、該高解像度映像信号を、低い解像度の映像信号に変換し、これをＳＶＧＡデバイス１００６へ送る。
【００９５】
一方、上記判定の結果、アナログ放送チューナ１００９を使用する必要があるならば、アナログ放送チューナ１００９に対して、ユーザ所望のチャンネルを選択するように指示を送る。アナログ放送チューナ１００９は、指示の内容に従って適切な周波数を選択し、放送波を受信し、必要な信号処理を施した上で、非圧縮のアナログ映像信号としてビデオエンコーダ１０１０に送る。
【００９６】
ビデオエンコーダ１０１０は、映像をエンコードして圧縮処理した上で、データをバス１０００を経由してＣＰＵ１００１に送る。ＣＰＵ１００１は、データをデコードした上でＳＶＧＡデバイス１００６に送り、ＳＶＧＡデバイス１００６は、該映像データをウインドウモード９０３を用いてユーザ視聴に供する。もちろん全画面モード９０１を用いてもよいが、アナログ映像信号はＨＤＴＶ解像度を持っていないため、全画面モードでは必要に応じて画素を拡大して表示することになる。
【００９７】
なお、以上の説明では、チューナ部については、デジタル放送チューナ１００７とアナログ放送チューナ１００９がそれぞれ１台の合計２台として説明してきたが、もちろんこれに限定されるわけではなく、より多くのチューナ部を備えても良い。
【００９８】
なお、アナログ放送チューナ１００９を複数台数備える場合にはビデオエンコーダ１０１０も同数備える必要があるが、デジタル放送チューナ１００７を複数台備える場合は、必ずしもＨＤＴＶ映像デコーダ１００８を複数備える必要は無い。
【００９９】
＜チューナ部を複数台備えた場合の動作例＞
ここで図８により、本発明の実施の形態３に係る情報処理システムのチューナ部を複数台備えた場合の動作例について説明する。図８は本発明の実施の形態３に係る情報処理システムのチューナ部を複数台備えた場合の動作例を説明するための説明図である。
【０１００】
図８に示しているのは、図２に示すいずれもウインドウモード９０３による視聴イメージである。画面表示９１１は、図２に示すウインドウモード９０３と同様の動作を示す。
【０１０１】
一方、画面表示９１２は、単一のウインドウ内に、最大４つの放送コンテンツを同時表示している状態を示す。例えば、デジタル放送チューナ１００７とアナログ放送チューナ１００９を合わせて４台備えている場合、それぞれの映像データを全てＣＰＵ１００１にいったん集め、解像度を下げた上で４つの映像を単純に並べて合成し、これを１つのウインドウ内に表示するといったことが可能である。
【０１０２】
＜音声情報の処理＞
さて、これまでの説明では、説明の簡単のため、映像情報を主体に説明してきたが、放送視聴のためには音声情報の処理が必要不可欠である。次に、図９により、本発明の実施の形態３に係る情報処理システムの音声の処理について説明する。図９は本発明の実施の形態３に係る情報処理システムの音声情報を処理するための構成要素含めた構成を示す構成図である。
【０１０３】
図９において、ＰＣ１は、アナログオーディオデバイス１０１２、デジタルオーディオデバイス１０１３、デジタルオーディオを選択するためのセレクタ１０１４、デジタルオーディオ出力デバイス１０１５、ＤＶＤドライブ装置１０１６から構成され、他の構成は、図７に示す構成と同一であるため説明を割愛する。また、ＰＣ１には、外部アナログスピーカ５、外部デジタルオーディオアンプ６が接続されている。
【０１０４】
始めに、デジタル放送の視聴動作に伴う音声情報の処理動作について説明する。
【０１０５】
該動作において、音声情報データがＨＤＴＶ映像デコーダ１００８に到達するまでの動作は、前述の映像情報データの説明と同一であるため説明を割愛する。
【０１０６】
ＨＤＴＶ映像デコーダ１００８は、映像データだけでなく、音声データをデコード処理する機能を持つ。
【０１０７】
ここでまず、図５を用いて、その内部動作について説明する。
【０１０８】
映像音声分離部８０４から出力された圧縮デジタル音声データは、音声デコード部８０９に送られ、ここでデコードされてＰＣＭ音声データとなる。これを音声遅延調整部８１０に送り、必要な遅延調整（後述）を実施した上で、アナログ音声変換部８１１にてアナログ音声信号となり、外部出力される。なお、圧縮されたデジタル音声データを、そのまま外部出力することもできる。
【０１０９】
図９に戻って説明を続ける。ＨＤＴＶ映像デコーダ１００８は、音声データをアナログ出力し、アナログオーディオデバイス１０１２に送る。この音声データは、アナログオーディオデバイス１０１２において必要に応じて音量調整などを施した上で、外部アナログスピーカ５などに接続し、ユーザの視聴に供する。
【０１１０】
次に、前述のようにＨＤＴＶ映像デコーダ１００８は、音声データをデジタル出力することもできる。これをセレクタ１０１４を経由してデジタルオーディオ出力デバイス１０１５に送る。デジタルオーディオ出力デバイス１０１５は、音声データをＩＥＣ６０９５８などの機器間デジタルオーディオインタフェース信号に変換する。この信号は、外部デジタルオーディオアンプ６などを接続することにより、ユーザの視聴に供する。
【０１１１】
次に、アナログ放送の視聴動作に伴う音声情報の処理動作について説明する。
【０１１２】
音声情報データがビデオエンコーダ１０１０に到達するまでの動作は、前述の説明と同一であるため説明を割愛する。
【０１１３】
ここで、ビデオエンコーダ１０１０は、音声をエンコードする機能もあわせ持つ。ビデオエンコーダ１０１０は、映像のエンコードと同時に音声をエンコードして圧縮処理した上で、該データをバス１０００を経由してＣＰＵ１００１に送る。ＣＰＵ１００１は、該データをデコードした上でアナログオーディオデバイス１０１２に送り、必要な音量調整などを施した上で、外部アナログスピーカ５などに出力する。
【０１１４】
次に、ＤＶＤドライブ装置１０１６に挿入したＤＶＤディスクタイトルの再生動作に伴う、音声情報の処理動作について説明する。
【０１１５】
ＤＶＤドライブ装置１０１６は、ＣＰＵ１００１によって制御される。ＤＶＤディスクタイトルから読み出されたオーディオデータは、ＣＰＵ１００１によってデコードされ、アナログオーディオデバイス１０１２に送り、必要な音量調整などを施した上で、外部アナログスピーカ５などに出力する。
【０１１６】
また、ＣＰＵ１００１は、デコードした音声データを、デジタルオーディオデバイス１０１３に送ることもできる。音声データはセレクタ１０１４を経由してデジタルオーディオ出力デバイス１０１５に送られ、外部接続されたデジタルオーディオアンプに出力される。
【０１１７】
なお、ＨＤＤ装置１００３に録画済みの音声情報を再生する動作については、音声情報をデジタル放送チューナ１００７またはアナログ放送チューナ１００９から得る代わりに、ＨＤＤ装置１００３から得るという点のみが異なり、他の動作は相似であるため、ここでは説明を割愛する。
【０１１８】
次に、前述した、図５における音声遅延調整部８１０の動作について説明する。
【０１１９】
ここでは、デジタル放送の視聴動作の場合について説明するが、ＨＤＤ装置１００３に録画されたものを再生する場合であっても同様である。
【０１２０】
前述したように、デジタル放送の視聴動作においては、ＨＤＴＶ映像デコーダ１００８によって、映像および音声のデコード処理が行われる。ここで、映像データを表示するための動作として、２通りの動作が存在する。第１の動作は、ＨＤＴＶ映像デコーダ１００８から直接アナログ映像信号として出力されて、モニタ２に供給されるという動作である。
【０１２１】
第２の動作は、ＨＤＴＶ映像デコーダ１００８内で一時暗号処理され、バス１０００を経由してＣＰＵ１００１に送られ、一時暗号を解読した上でＳＶＧＡデバイス１００６経由でモニタ２へ供給するという動作である。
【０１２２】
第２の動作は、第１の動作に比べ、処理のステップが多いことから映像がＬＣＤパネル２００２に実際に表されるまでに余分の時間を要する。通常、２つの動作の間の時間差は、ユーザが視聴している映像と音声の間に、無視できない量のずれとなって現れる。
【０１２３】
そこで、ＣＰＵ１００１は、ユーザが現在どちらの動作によって映像を視聴しているかを確認した上で、その情報を元に音声遅延調整部８１０に指示を与える。ＵＳＢインタフェース１００５を経由して映像切替器２００１を制御しているのはＣＰＵ１００１であるため、ユーザがどちらの動作によって映像を視聴しているかは簡単に確認できる。
【０１２４】
上記第１の動作による場合に対して、上記第２の動作の場合は音声の遅延量を増大させることが必要である。音声遅延調整部８１０は、指示に従って適切に音声を遅延させる処理を行い、映像と音声の間の時間差をゼロに近づけるように動作する。この処理により、映像と音声の同期、いわゆるリップシンクがずれる問題を解消する。
【０１２５】
（実施の形態４）
実施の形態４は、実施の形態２において、ネットワークを介して、映像配信サーバと接続したものである。
【０１２６】
＜情報処理システムの構成＞
図１０により、本発明の実施の形態４に係る情報処理システムの構成について説明する。図１０は本発明の実施の形態４に係る情報処理システムの構成を示す構成図である。
【０１２７】
図１０において、情報処理システムは、ＰＣ１が、ネットワークインタフェース１０１１を備える以外の構成は、実施の形態２における図６の構成と同様である。また、ネットワークインタフェース１０１１はネットワーク３を介して、映像配信サーバ４に接続されている。
【０１２８】
＜情報処理システムの動作＞
次に、図１０により、本発明の実施の形態４に係る情報処理システムの動作について説明する。本実施の形態は、デジタル放送チューナ１００７に加えて、ネットワークインタフェース１０１１を備え、また、ネットワーク３を介して映像配信サーバ４に接続されていることが特徴である。
【０１２９】
まず、ＣＰＵ１００１は、リモコン受信機１００４からの視聴動作指示を受け付けると、まず指示された視聴すべき映像コンテンツが、デジタル放送によるものか、ネットワーク配信によるものかを判断する。デジタル放送による映像コンテンツであった場合は、実施の形態２と同様の動作をする。
【０１３０】
一方ネットワーク配信によるものであった場合は、ＣＰＵ１００１はネットワークインタフェース１０１１およびネットワーク３を介して、映像配信サーバ４に対して映像コンテンツを要求する。ここでは、映像配信サーバ４から送られてくる映像コンテンツは、デジタル放送と同様の方式で暗号化されていることを想定する。
【０１３１】
いったんＨＤＤ装置１００３に保存された映像コンテンツは、ＨＤＴＶ映像デコーダ１００８に送られ、暗号解読および映像デコード処理を施した上、モニタ２に送られてユーザの視聴に供される。
【０１３２】
また、映像配信サーバ４から送られてくる映像コンテンツは、別の暗号方式で暗号処理してもよい。例えば、映像コンテンツ自体は別の暗号方式によって暗号処理し、当該暗号を解くための第二の暗号鍵は、デジタル放送と同様の方式で暗号化し、これらをセットで配信する。第二の暗号鍵を取得するための暗号解読には、放送暗号鍵保持部８０２の内蔵する放送暗号鍵を用いる。放送暗号鍵は、もともと個別に課金するような有料放送、いわゆるペイパービューに対応しているため、本方式にそのまま利用可能である。
【０１３３】
また、映像コンテンツは、必ずしも毎回映像配信サーバから取得しなくてもよく、例えば、定期的に映像配信サーバ４から映像コンテンツを取得しておき、これをＨＤＤ装置１００３に蓄積しておいてもよい。この場合、ユーザからの視聴動作指示を受け付けた際、映像配信サーバ４に問い合わせる前にＨＤＤ装置１００３の記録内容を確認することで、ネットワークトラフィックを削減および平準化することができ、ダウンロード待ち時間がなくなるためにユーザ利便性も向上する。
【０１３４】
（実施の形態５）
実施の形態５は、実施の形態２において、映像切替器の代わりにウインドウ合成器を備えたものである。
【０１３５】
＜情報処理システムの構成＞
図１１により、本発明の実施の形態５に係る情報処理システムの構成について説明する。図１１は本発明の実施の形態５に係る情報処理システムの構成を示す構成図である。
【０１３６】
図１１において、情報処理システムは、モニタ２が映像切替器２００１の代わりにウインドウ合成器２００３を備える以外の構成は、実施の形態２における図６の構成と同様である。
【０１３７】
＜情報処理システムの動作＞
次に、図１１〜図１３により、本発明の実施の形態５に係る情報処理システムの動作について説明する。図１２および図１３は本発明の実施の形態５に係る情報処理システムの動作時の画面イメージを説明するための説明図である。
【０１３８】
本実施の形態は、映像切替器２００１の代わりに、ウインドウ合成器２００３を備えているという点が特徴である。ウインドウ合成器２００３は、２つまたは複数の映像信号を入力し、これらを任意のウインドウ形状に合成して出力することができる機能を持つ。
【０１３９】
まず、これまで説明した実施の形態と同様に、ＳＶＧＡデバイス１００６からはＰＣのグラフィック画面の映像データが、ＨＤＴＶ映像デコーダ１００８からはデジタル放送の映像データが、それぞれ出力されている。ＣＰＵ１００１は、これら２つの映像信号を、どのように合成するかを、映像合成制御部となるＵＳＢインタフェース１００５を介してウインドウ合成器２００３に指示する。ウインドウ合成器２００３は、これらの映像データを入力し、指示されたとおりにウインドウを形成して映像を合成する。
【０１４０】
本実施の形態による画面のイメージとしては、例えば図１２に示すような画面となる。
【０１４１】
図１２において、画面表示９２１は、図２に示す全画面モード９０１によって表示されている放送コンテンツの一部にウインドウを設け、その中にＰＣグラフィック画面が表示される状態を示す。ここでウインドウ内に表示されるＰＣグラフィック画面は、必ずしも、もともとのＰＣグラフィック画面全体と同一である必要は無く、一部分のみをクリップしたものでもよい。
【０１４２】
画面表示９２２は、もとのＰＣグラフィック画面を示し、このうち点線により示される矩形領域９２３だけがクリップされ、９２１のウインドウ内に表示される様を示したものである。もちろんこのようなクリップ処理を行わずに、ＰＣグラフィック画面全体を、ウインドウ内に表示しても構わない。いずれの場合でも、ＰＣグラフィック画面は、適切に拡大縮小して表示するものとする。
【０１４３】
また、ここでＰＣグラフィック画面に表示するべき内容としては、例えばメールソフトウエアやＷｅｂブラウズ画面のような放送と直接関連しないものでもよいし、視聴中の放送と連携して、例えばＥＰＧに含まれるメタデータから、過去に録画した関連映像情報の目録を表示したり、Ｗｅｂ上の関連コンテンツの検索結果を表示したりしても良い。
【０１４４】
次に、本実施の形態において、ウインドウを表示すべき位置の一例について、図１３を用いて説明する。
【０１４５】
通常、ＨＤＴＶ放送は１６：９の画面比率を持っているが、このうち左右端部のそれぞれ１２．５％幅の部分には、あまり重要な情報が含まれていないことが多い。このことはライブ映像、特にスポーツ中継のようなコンテンツにおいて顕著であり、これは同一のコンテンツを４：３の標準解像度放送に流用することなどを考慮しているためであると考えられる。
【０１４６】
図１３において、画面表示９３１は、１６：９の画面比率のコンテンツにおいて重要な情報が含まれる領域をハッチングによって示したものである。また、画面表示９３２は、該領域を左にずらして表示し、画面右側に２５％幅の画面領域を確保し、ここにＰＣグラフィック画面を表示するウインドウを割り当てている状態を示している。このような画面構成をとることによって、放送されている重要な情報を隠すことなく、ＰＣグラフィック画面をウインドウ状に重ね合わせることが可能となる。
【０１４７】
なお、ここでは説明の簡単のため、ウインドウ合成器２００３は２入力であるものとしたが、もちろん３入力またはそれ以上の構成でも良く、その場合は入力できる映像データの数だけ画面上に合成するウインドウの数を増やすことができる。
【０１４８】
（実施の形態６）
実施の形態６は、実施の形態１において、モニタ２の切替部２０１をＰＣ１側に設けたものである。
【０１４９】
＜情報処理システムの構成＞
図１４により、本発明の実施の形態６に係る情報処理システムの構成について説明する。図１４は本発明の実施の形態６に係る情報処理システムの構成を示す構成図である。
【０１５０】
図１４において、情報処理システムは、ＰＣ１が切替部２０１を備え、モニタ２が表示部２０２のみを備える以外の構成は、実施の形態１における図１の構成と同様である。
【０１５１】
ＰＣ１とモニタ２との間の接続は、切替部２０１からの映像信号を表示部２０２に伝送する専用のインタフェースなどにより接続する。なお、ＰＣ１とモニタ２との間の接続は、切替部２０１からの映像信号を表示部２０２に伝送することができる接続であれば、汎用のケーブルなどによる接続にすることも可能である。
【０１５２】
＜情報処理システムの動作＞
次に、図１４により、本発明の実施の形態６に係る情報処理システムの動作について説明する。
【０１５３】
本実施の形態の動作は、ＰＣ１側の切替部２０１が、Ｉ／Ｏ制御部１０５からの指示に従って、高解像度映像生成部１０８から送られる高解像度映像信号と、標準映像生成部１０６から送られる標準映像信号とを切り替え、ＰＣ１側の切替部２０１により、切り替えられた映像信号が、ＰＣ１からモニタ２に出力される以外の動作は実施の形態１と同様である。
【０１５４】
これにより、ＰＣ１とモニタ２の接続は１つにすることができ、また、ＰＣ１内部では、標準映像生成部１０６と高解像度映像生成部１０８が別々に構成することができるので、標準映像に関しては、従来の汎用の部品などで構成することが可能である。
【０１５５】
（実施の形態７）
実施の形態７は、実施の形態１において、モニタ２をＰＣ１と一体に構成し、そのＰＣ１内部に切替部２０１を設けたものである。
【０１５６】
＜情報処理システムの構成＞
図１５により、本発明の実施の形態７に係る情報処理システムの構成について説明する。図１５は本発明の実施の形態７に係る情報処理システムの構成を示す構成図である。
【０１５７】
図１５において、情報処理システムは、ＰＣ１が切替部２０１および表示部２０２を備え、モニタ２をＰＣ１と一体に構成した以外の構成は、実施の形態１における図１の構成と同様である。
【０１５８】
＜情報処理システムの動作＞
次に、図１５により、本発明の実施の形態６に係る情報処理システムの動作について説明する。
【０１５９】
本実施の形態の動作は、ＰＣ１側の切替部２０１が、Ｉ／Ｏ制御部１０５からの指示に従って、高解像度映像生成部１０８から送られる高解像度映像信号と、標準映像生成部１０６から送られる標準映像信号とを切り替え、ＰＣ１側の切替部２０１により、切り替えられた映像信号が、ＰＣ１内部のモニタ２に出力される以外の動作は実施の形態１と同様である。
【０１６０】
これにより、ＰＣ１内部での切替部２０１表示部の接続は、ＰＣ１内部の接続として、自由に行うことができ、また、ＰＣ１内部では、標準映像生成部１０６と高解像度映像生成部１０８が別々に構成することができるので、標準映像に関しては、従来の汎用の部品などで構成することが可能である。
【０１６１】
以上、本発明者によってなされた発明を実施の形態に基づき具体的に説明したが、本発明は前記実施の形態に限定されるものではなく、その要旨を逸脱しない範囲で種々変更可能であることはいうまでもない。
【０１６２】
例えば、実施の形態１〜４では、モニタ２の切替部２０１や映像切替器２００１で、ＰＣ１からの指示により、標準映像生成部１０６および高解像度映像生成部１０８からの映像信号を切り替えて表示部２０２に表示するか、ＳＶＧＡデバイス１００６およびＨＤＴＶ映像デコーダ１００８からの映像信号を切り替えてＬＣＤパネル２００２に表示するようにしているが、モニタ２側で映像信号の入力の有無により、表示部２０２やＬＣＤパネル２００２に表示する映像信号を選択することも可能である。その場合は、ＰＣ１側で、標準映像生成部１０６および高解像度映像生成部１０８や、ＳＶＧＡデバイス１００６およびＨＤＴＶ映像デコーダ１００８からの映像出力を制御し、モニタ２に表示させる映像信号のみを出力させるようにすればよい。
【産業上の利用可能性】
【０１６３】
本発明は、権利保護が必要なコンテンツを取り扱う情報システム、特に、ＨＤＴＶデジタル放送を受信する機能を持つパーソナルコンピュータに利用可能である。また、パーソナルコンピュータのアーキテクチャを利用して製造される各種の組み込み向け装置、例えばカーナビゲーションシステムや、デジタル家電機器のような装置において、権利保護が必要なコンテンツを取り扱う場合に適用可能である。
【図面の簡単な説明】
【０１６４】
【図１】本発明の実施の形態１に係る情報処理システムの構成を示す構成図である。
【図２】本発明の実施の形態１に係る情報処理システムの画面モードの切替を説明するための説明図である。
【図３】本発明の実施の形態１に係る情報処理システムのユーザインタフェースを説明するための説明図である。
【図４】本発明の実施の形態１に係る情報処理システムのユーザインタフェース処理を示すフローチャートである。
【図５】本発明の実施の形態１に係る情報処理システムの高解像度映像生成部の内部構成を示す構成図である。
【図６】本発明の実施の形態２に係る情報処理システムの構成を示す構成図である。
【図７】本発明の実施の形態３に係る情報処理システムの構成を示す構成図である。
【図８】本発明の実施の形態３に係る情報処理システムのチューナ部を複数台備えた場合の動作例を説明するための説明図である。
【図９】本発明の実施の形態３に係る情報処理システムの音声情報を処理するための構成要素含めた構成を示す構成図である。
【図１０】本発明の実施の形態４に係る情報処理システムの構成を示す構成図である。
【図１１】本発明の実施の形態５に係る情報処理システムの構成を示す構成図である。
【図１２】本発明の実施の形態５に係る情報処理システムの動作時の画面イメージを説明するための説明図である。
【図１３】本発明の実施の形態５に係る情報処理システムの動作時の画面イメージを説明するための説明図である。
【図１４】本発明の実施の形態６に係る情報処理システムの構成を示す構成図である。
【図１５】本発明の実施の形態７に係る情報処理システムの構成を示す構成図である。
【符号の説明】
【０１６５】
１…パーソナルコンピュータ、２…モニタ装置、３…ネットワーク、４…映像配信サーバ、５…外部アナログスピーカ、６…外部デジタルオーディオアンプ、１００…バス、１０１…ＣＰＵ、１０２…メモリ、１０３…ハードディスクドライブ装置、１０４…入力部、１０５…Ｉ／Ｏ制御部、１０６…標準映像生成部、１０７…放送受信部、１０８…高解像度映像生成部、２０１…切替部、２０２…表示部、８０１…放送暗号解読部、８０２…放送暗号鍵保持部、８０３…セレクタ、８０４…映像音声分離部、８０５…映像デコード部、８０６…アナログ映像変換部、８０７…解像度変換部、８０８…一時暗号処理部、８０９…音声デコード部、８１０…音声遅延調整部、８１１…アナログ音声変換部、８１２…ローカル暗号処理部、８１３…ローカル暗号解読部、１０００…バス、１００１…ＣＰＵ、１００２…メモリ、１００３…ハードディスクドライブ装置、１００４…リモコン受信機、１００５…ＵＳＢインタフェース、１００６…ＳＶＧＡデバイス、１００７…デジタル放送チューナ、１００８…ＨＤＴＶ映像デコーダ、１００９…アナログ放送チューナ、１０１０…ビデオエンコーダ、１０１１…ネットワークインタフェース、１０１２…アナログオーディオデバイス、１０１３…デジタルオーディオデバイス、１０１４…セレクタ、１０１５…デジタルオーディオ出力デバイス、１０１６…ＤＶＤドライブ装置、２００１…映像切替器、２００２…ＬＣＤパネル、２００３…ウインドウ合成器。
【図１】
2007067459.tif 000003
【図２】
2007067459.tif 000004
【図３】
2007067459.tif 000005
【図４】
2007067459.tif 000006
【図５】
2007067459.tif 000007
【図６】
2007067459.tif 000008
【図７】
2007067459.tif 000009
【図８】
2007067459.tif 000010
【図９】
2007067459.tif 000011
【図１０】
2007067459.tif 000012
【図１１】
2007067459.tif 000013
【図１２】
2007067459.tif 000014
【図１３】
2007067459.tif 000015
【図１４】
2007067459.tif 000016
【図１５】
2007067459.tif 000017